【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
撮影手段と、
この撮影手段が撮影する画像のブレを補正するブレ補正手段と、
カメラ本体のブレを検出するブレ検出手段と、
このブレ検出手段により検出された前記カメラ本体のブレを示すブレ情報を、当該カメラに設定される撮影条件に対応させて記憶するブレ情報記憶手段と、
撮影に先立ち前記カメラに設定された撮影条件に応じて、前記ブレ情報記憶手段から対応するブレ情報を取得する取得手段と、
この取得手段により取得されたブレ情報に基づき、前記ブレ補正手段の動作を制御す制御手段と
を備えることを特徴とするカメラ。
【請求項２】
撮影に先立ち撮影すべき被写体の選択を検出する選択検出手段を更に備え、
前記取得手段は、前記撮影条件として前記選択検出手段によって選択が検出された被写体に応じて、前記ブレ情報記憶手段から対応するブレ情報を取得することを特徴とする請求項１記載のカメラ。
【請求項３】
前記制御手段は、
前記取得手段により取得されたブレ情報に基づき、前記撮影手段が撮影する画像のブレを補正すべきか否かを判断する補正判断手段を備え、
この補正判断手段の判断結果に応じて、前記ブレ補正手段を動作又は停止させることを特徴とする請求項１又は２記載のカメラ。
【請求項４】
前記制御手段は、
前記取得手段により取得されたブレ情報が示すブレ量が許容ブレ量以上であるか否かを判断するブレ量判断手段を備え、
このブレ量判断手段の判断結果に応じて、前記ブレ補正手段を動作又は停止させることを特徴とする請求項１または２記載のカメラ。
【請求項５】
前記ブレ補正手段は、前記撮影手段が有する光学系を駆動するブレ補正機構であることを特徴とする請求項１乃至４のいずれか記載のカメラ。
【請求項６】
前記ブレ補正手段は、前記撮影手段が撮影する画像を画像補正する画像補正手段であることを特徴とする請求項１又は２記載のカメラ。
【請求項７】
前記ブレ情報記憶手段は、前記撮影手段により撮影が実行される毎に、ブレ検出手段により検出された前記カメラ本体のブレに基づき、前記ブレ情報を更新することを特徴とする請求項１乃至６のいずれか記載のカメラ。
【請求項８】
前記ブレ情報記憶手段は、当該カメラの使用者を示す情報とともに、前記ブレ情報を記憶することを特徴とする請求項１乃至７のいずれか記載のカメラ。
【請求項９】
撮影手段と、この撮影手段が撮影する画像のブレを補正するブレ補正手段と、カメラ本体のブレを検出するブレ検出手段とを備えるカメラが有するコンピュータを、
前記ブレ検出手段により検出された前記カメラ本体のブレを示すブレ情報を当該カメラに設定される撮影条件に対応させて記憶するブレ情報記憶手段、
撮影に先立ち前記カメラに設定された撮影条件に応じて、前記ブレ情報記憶手段から対応するブレ情報を取得する取得手段と
この取得手段により取得されたブレ情報に基づき、前記ブレ補正手段の動作を制御する制御手段
して機能させることを特徴とするカメラ制御プログラム。
【請求項１０】
撮影手段と、この撮影手段が撮影する画像のブレを補正するブレ補正手段と、カメラ本体のブレを検出するブレ検出手段とを備えるカメラの制御方法であって、
前記ブレ検出手段により検出された前記カメラ本体のブレを示すブレ情報を当該カメラに設定される撮影条件に対応させて記憶手段に記憶するブレ情報記憶ステップと、
撮影に先立ち前記カメラに設定された撮影条件に応じて、前記記憶手段から対応するブレ情報を取得する取得ステップと、
この取得手段ステップにより取得されたブレ情報に基づき、前記ブレ補正手段の動作を制御する制御ステップと
を含むことを特徴とするカメラ制御方法。
【手続補正２】
【補正対象書類名】明細書
【補正対象項目名】０００５
【補正方法】変更
【補正の内容】
【０００５】
前記課題を解決するため請求項１記載の発明は、撮影手段と、この撮影手段が撮影する画像のブレを補正するブレ補正手段と、カメラ本体のブレを検出するブレ検出手段と、このブレ検出手段により検出された前記カメラ本体のブレを示すブレ情報を、当該カメラに設定される撮影条件に対応させて記憶するブレ情報記憶手段と、撮影に先立ち前記カメラに設定された撮影条件に応じて、前記ブレ情報記憶手段から対応するブレ情報を取得する取得手段と、この取得手段により取得されたブレ情報に基づき、前記ブレ補正手段の動作を制御す制御手段とを備えることを特徴とする。
また、請求項２記載の発明は、上記請求項１記載の発明において、撮影に先立ち撮影すべき被写体の選択を検出する選択検出手段を更に備え、前記取得手段は、前記撮影条件として前記選択検出手段によって選択が検出された被写体に応じて、前記ブレ情報記憶手段から対応するブレ情報を取得することを特徴とする。
【手続補正３】
【補正対象書類名】明細書
【補正対象項目名】０００６
【補正方法】変更
【補正の内容】
【０００６】
また、請求項３記載の発明は、上記請求項１又は２記載の発明において、前記制御手段は、前記取得手段により取得されたブレ情報に基づき、前記撮影手段が撮影する画像のブレを補正すべきか否かを判断する補正判断手段を備え、この補正判断手段の判断結果に応じて、前記ブレ補正手段を動作又は停止させることを特徴とする。
【手続補正４】
【補正対象書類名】明細書
【補正対象項目名】０００７
【補正方法】変更
【補正の内容】
【０００７】
また、請求項４記載の発明は、上記請求項１又は２のいずれか記載の発明において、前記制御手段は、前記取得手段により取得されたブレ情報が示すブレ量が許容ブレ量以上であるか否かを判断するブレ量判断手段を備え、このブレ量判断手段の判断結果に応じて、前記ブレ補正手段を動作又は停止させることを特徴とする。
【手続補正５】
【補正対象書類名】明細書
【補正対象項目名】０００８
【補正方法】変更
【補正の内容】
【０００８】
また、請求項５記載の発明は、上記請求項１乃至４のいずれか記載の発明において、前記ブレ補正手段は、前記撮影手段が有する光学系を駆動するブレ補正機構であることを特徴とする。
【手続補正６】
【補正対象書類名】明細書
【補正対象項目名】０００９
【補正方法】変更
【補正の内容】
【０００９】
また、請求項６記載の発明は、上記請求項１又は２記載の発明において、前記ブレ補正手段は、前記撮影手段が撮影する画像を画像補正する画像補正手段であることを特徴とする。
【手続補正７】
【補正対象書類名】明細書
【補正対象項目名】００１０
【補正方法】変更
【補正の内容】
【００１０】
また、請求項７記載の発明は、上記請求項１乃至６のいずれか記載の発明において、前記ブレ情報記憶手段は、前記撮影手段により撮影が実行される毎に、ブレ検出手段により検出された前記カメラ本体のブレに基づき、前記ブレ情報を更新することを特徴とする。
【手続補正８】
【補正対象書類名】明細書
【補正対象項目名】００１１
【補正方法】変更
【補正の内容】
【００１１】
また、請求項８記載の発明は、上記請求項１乃至７のいずれか記載の発明において、前記ブレ情報記憶手段は、当該カメラの使用者を示す情報とともに、前記ブレ情報を記憶することを特徴とする。
【手続補正９】
【補正対象書類名】明細書
【補正対象項目名】００１２
【補正方法】変更
【補正の内容】
【００１２】
また、請求項９記載の発明は、撮影手段と、この撮影手段が撮影する画像のブレを補正するブレ補正手段と、カメラ本体のブレを検出するブレ検出手段とを備えるカメラが有するコンピュータを、前記ブレ検出手段により検出された前記カメラ本体のブレを示すブレ情報を当該カメラに設定される撮影条件に対応させて記憶するブレ情報記憶手段、撮影に先立ち前記カメラに設定された撮影条件に応じて、前記ブレ情報記憶手段から対応するブレ情報を取得する取得手段、この取得手段により取得されたブレ情報に基づき、前記ブレ補正手段の動作を制御する制御手段として機能させることを特徴とする。
【手続補正１０】
【補正対象書類名】明細書
【補正対象項目名】００１３
【補正方法】変更
【補正の内容】
【００１３】
また、請求項１０記載の発明は、撮影手段と、この撮影手段が撮影する画像のブレを補正するブレ補正手段と、カメラ本体のブレを検出するブレ検出手段とを備えるカメラの制御方法であって、前記ブレ検出手段により検出された前記カメラ本体のブレを示すブレ情報を当該カメラに設定される撮影条件に対応させて記憶手段に記憶するブレ情報記憶ステップと、撮影に先立ち前記カメラに設定された撮影条件に応じて、前記記憶手段から対応するブレ情報を取得する取得ステップと、この取得手段ステップにより取得されたブレ情報に基づき、前記ブレ補正手段の動作を制御する制御ステップとを含むことを特徴とする。